(57)【特許請求の範囲】
【請求項１】
待受け側コネクタと嵌合することで電気回路を構成するコネクタであって、
前記電気回路を保護する保護部材と、
前記保護部材を収容する収容空間を有するハウジングと、
前記ハウジングにおける前記収容空間の入口を覆うカバーとを備え、
前記保護部材は、本体部と、この本体部の端部に接続された端子部とを備えて構成され、この端子部は、前記カバーの前記ハウジングに対する組み付け方向と交差する方向に延びる装着部と、前記組み付け方向に延びる接続部とを有しており、
前記カバーは、前記保護部材の前記本体部を覆うカバー本体と、このカバー本体の開口縁から前記組み付け方向と交差する方向に延びる押込部とを備えて構成され、
前記ハウジングは、前記端子部の前記装着部を支持する台座部と、この台座部の上面から下方に貫通して設けられ前記端子部の前記接続部が下方に挿入されるスリットとを有しており、
前記保護部材は、前記カバーを前記ハウジングに対してロック状態で組み付けることにより、前記端子部の前記装着部が前記カバーの前記押込部の下面と前記ハウジングの前記台座部の上面との間に挟持されることで前記収容空間内に固定されることを特徴とするコネクタ。
【請求項２】
待受け側コネクタと嵌合することで電気回路を構成するコネクタであって、
前記電気回路を保護する保護部材と、
前記保護部材を収容する収容空間を有するハウジングと、
前記ハウジングにおける前記収容空間の入口を覆うカバーとを備え、
前記保護部材は、前記カバーを前記ハウジングに対してロック状態で組み付けることにより、前記カバーと前記ハウジングによって挟み込まれて前記収容空間内に固定され、
前記電気回路に接続するために用いられるレバーと、
前記レバーを回動可能に軸支する断面円形の軸部とを備え、
前記軸部は、前記ハウジング側の半割体と前記カバー側の半割体とからなり、その対向部が平行をなすように除肉されることで横長に形成された断面長円形の柱状とされていることを特徴とするコネクタ。
【請求項３】
前記保護部材は、本体部と、この本体部の両端部に接続された一対の端子部とを備えて構成されていることを特徴とする請求項１または２に記載のコネクタ。
【請求項４】
前記カバーは、前記保護部材の前記本体部を覆うカバー本体と、前記一対の端子部を押し込む一対の押込部とを備えて構成されていることを特徴とする請求項３に記載のコネクタ。
【請求項５】
前記カバーが前記ハウジングに組み付けられた状態では、前記一対の端子部の各装着部が前記一対の押込部と前記ハウジングとによって挟み込まれることを特徴とする請求項４に記載のコネクタ。
【請求項６】
前記カバーが前記ハウジングに組み付けられた状態では、前記各装着部の全域が前記一対の押込部と前記ハウジングとによって挟み込まれることを特徴とする請求項５に記載のコネクタ。
【発明の詳細な説明】
【技術分野】
【０００１】
本発明は、待受け側コネクタに嵌合することで電気回路を構成するコネクタに関する。
【背景技術】
【０００２】
この種のコネクタとして、例えば下記特許文献１に記載のものが知られている。このコネクタは、サービスプラグなどの名称で呼ばれるコネクタであって、定格以上の大電流から電気回路を保護するヒューズなどの保護部品と、この保護部品を収容する収容空間が設けられたハウジングと、ハウジングにおける収容空間の入口を覆うカバーとを備えている。この保護部品は、一対の端子部を備えており、保護部品を収容空間に収容すると、収容空間の内部に設けられたランスが端子部のランスホールに嵌り込んで係止することにより、保護部材がハウジングに固定されるようになっている。
【先行技術文献】
【特許文献】
【０００３】
【特許文献１】特開２００９−３７７７８号公報
【発明の概要】
【発明が解決しようとする課題】
【０００４】
しかしながら、上記のコネクタでは、端子部にランスホール設ける必要があり、保護部材の製造コストが高くなるおそれがある。また、カバーをハウジングに取り付けない状態でも保護部材がハウジングに固定されるため、カバーの付け忘れが発生するおそれがある。また、ハウジングにランスを設ける必要があるため、ハウジングのサイズが大きくなるおそれがある。さらに、保護部材を交換する際には、治具などを用いてランスをランスホールから外す必要があり、交換作業性が悪い。
【０００５】
本発明は上記のような事情に基づいて完成されたものであって、カバーの付け忘れを防ぎ、ハウジングを小型化し、保護部材の交換作業性を向上させることを目的とする。
【課題を解決するための手段】
【０００６】
本明細書によって開示される技術は、待受け側コネクタと嵌合することで電気回路を構成するコネクタであって、電気回路を保護する保護部材と、保護部材を収容する収容空間を有するハウジングと、ハウジングにおける収容空間の入口を覆うカバーとを備え、保護部材は、カバーをハウジングに対してロック状態で組み付けることにより、カバーとハウジングによって挟み込まれて収容空間内に固定される構成としたところに特徴を有する。保護部材としては、ヒューズやリレーなどを用いることができる。また、電気回路の一例として、バッテリに接続された電源回路を挙げることができる。
【０００７】
このような構成によると、保護部材がカバーとハウジングによって挟み込まれて収容空間内に固定されるため、カバーの付け忘れを防ぐことができる。また、ハウジングに、保護部材を保持する保持部を設ける必要がないため、ハウジングを小型化することができるとともに、保護部材に、保持部に係止させる切り欠きなどを設ける必要がないため、保護部材の製造コストを低減できる。さらに、保護部材を交換する際には、カバーをハウジングから外すだけで保護部材を収容空間から外すことができるため、交換作業性がよい。
【０００８】
本明細書によって開示されるコネクタの実施の態様として、以下の構成が好ましい。
保護部材は、本体部と、この本体部の両側に設けられた一対の端子部とを備えて構成され、カバーがハウジングに組み付けられた状態では、端子部がカバーとハウジングによって挟み込まれる構成としてもよい。
このような構成によると、端子部を挟み込んで保護部材を固定しているため、本体部の性能に悪影響を与えることがない。
【０００９】
端子部は、カバーのハウジングに対する組み付け方向と交差する方向に延びる装着部を有しており、カバーがハウジングに組み付けられた状態では、装着部がカバーとハウジングによって挟み込まれる構成としてもよい。
このような構成によると、カバーをハウジングによって装着部を挟み込むことにより、保護部材を収容空間内に固定できる。
【００１０】
カバーは、保護部材の本体部を覆うカバー本体と、両端子部を押し込む一対の押込部とを備えて構成されている構成としてもよい。
このような構成によると、例えばカバー本体に指を宛がうなどして両押込部によって両端子部を押し込むことができる。
【００１１】
カバーがハウジングに組み付けられた状態では、両端子部の両装着部が両押込部とハウジングによって挟み込まれる構成としてもよい。その際、両装着部の全域が両押込部とハウジングによって挟み込まれる構成としてもよい。
このような構成によると、両装着部の全域を、両押込部とハウジングによって挟み込むことができるため、保護部材を収容空間内に安定して固定することができる。
【００１２】
電気回路に接続するために用いられるレバーと、レバーを回動可能に軸支する断面円形の軸部とを備え、軸部は、ハウジング側の半割体とカバー側の半割体とからなる構成としてもよい。
このような構成によると、レバーを軸部に軸支させた状態では、ハウジング側の半割体とカバー側の半割体が分離できなくなるため、カバーがハウジングから容易に外れることを規制できる。
【発明の効果】
【００１３】
本発明によれば、カバーの付け忘れを防ぎ、ハウジングを小型化し、保護部材の交換作業性を向上させることができる。
【図面の簡単な説明】
【００１４】
【図１】実施形態１におけるサービスプラグの平面図
【図２】図１におけるＡ−Ａ線断面図
【図３】サービスプラグの正面図
【図４】図３におけるＢ−Ｂ線断面図
【図５】図３におけるＣ−Ｃ線断面図
【図６】サービスプラグの底面図
【図７】図６におけるＤ−Ｄ線断面図
【図８】図７におけるＥ−Ｅ線断面図
【図９】図７におけるＦ−Ｆ線断面図
【図１０】初期位置において待受け側コネクタにサービスプラグを浅く嵌合させた状態を示す断面図
【図１１】レバーを初期位置から嵌合位置へ向けて回動させる途中の状態を示した断面図
【図１２】レバーを嵌合位置に回動させた状態を示した断面図
【図１３】実施形態２におけるレバーを組付位置に装着する前の状態を示した正面図
【図１４】レバーを組付位置に装着した後の状態を示した正面図
【図１５】レバーを組付位置から初期位置へ回動させた状態を示した正面図
【図１６】レバーを初期位置から嵌合位置へ回動させた状態を示した正面図
【図１７】実施形態３におけるサービスプラグの正面図
【図１８】サービスプラグにレバーを組み付けて初期位置に回動させた状態を示した正面図
【図１９】図１８におけるＧ−Ｇ線断面図
【発明を実施するための形態】
【００１５】
＜実施形態１＞
本発明の実施形態１を図１ないし図１２の図面を参照しながら説明する。本実施形態におけるサービスプラグ（本発明の「コネクタ」の一例）１０は、ハイブリッド自動車や電気自動車などに搭載されたバッテリから電気機器へ電源供給をおこなうための電源回路に組み込まれている。車両側には、図１０に示す待受け側コネクタ５０が設けられており、この待受け側コネクタ５０にサービスプラグ１０を嵌合させることで電源回路が構成される。サービスプラグ１０は、電気機器のメンテナンスなどを行う際に、待受け側コネクタ５０から取り外されて電源回路を非通電状態にするための装置である。
【００１６】
まず、待受け側コネクタ５０の構成について説明する。待受け側コネクタ５０は、合成樹脂製の待受け側ハウジング５１を有し、この待受け側ハウジング５１には、図７に示すように、一対の端子収容部５２，５２が形成されている。この端子収容部５２の内部には、待受け側端子６０が収容可能とされている。端子収容部５２の内壁には、待受け側端子６０を端子収容部５２内で抜け止め状態に保持するランス５３が設けられている。また、待受け側ハウジング５１の前後両面には、図９に示すように、一対のカムピン５６，５６が設けられている。
【００１７】
待受け側端子６０の内部には、図１０に示すように、略山形をなす弾性接触片６１が設けられている。弾性接触片６１は、基板部６２の上部に配置され、弾性撓み可能に設けられている。また、基板部６２の下部には、ワイヤバレル部６３が設けられており、このワイヤバレル部６３は、バッテリに連なる電線Ｗの端末に露出された芯線に圧着されている。
【００１８】
待受け側ハウジング５１における両待受け側端子６０，６０の間には、一対のインターロック端子６４，６４が収容されてなるインターロックコネクタ部５４が設けられている。このインターロックコネクタ部５４の内部には、図８に示すように、リテーナ５５が組み付けられており、このリテーナ５５は、図９に示す仮係止位置からさらに押し込まれて本係止位置に組み付けられることにより、両インターロック端子６４，６４を抜け止め状態に保持可能とされている。
【００１９】
次に、サービスプラグ１０の構成について説明する。サービスプラグ１０は、図２に示すように、合成樹脂製のプラグ側ハウジング１１と、ヒューズ２０と、カバー３０と、レバー４０とを備えて構成されている。このプラグ側ハウジング１１には、ヒューズ２０が装着された装着凹部１２が凹設されている。この装着凹部１２は、上方に開口する形態をなしている。
【００２０】
また、プラグ側ハウジング１１には、ショート端子１７が圧入、保持された小フード部１３が設けられている。この小フード部１３は、下方に開口する形態をなし、この小フード部１３の内部空間に、ショート端子１７の一対の接触部１７Ａ，１７Ａが収容されている。また、小フード部１３の奥壁には、ショート端子１７の圧入部１７Ｂが圧入される圧入孔１４が凹設されている。ショート端子２０は、圧入部１７Ｂによって両接触部１７Ａ，１７Ａが導通可能に連結された構成とされている。
【００２１】
プラグ側ハウジング１１における装着凹部１２の左右両側には、一対の大フード部１５，１５が設けられている。大フード部１５は、下方に開口する形態をなしている。大フード部１５の下端は、小フード部１３の下端よりも下方に位置している。大フード部１５内の奥壁には、スリット１６が上下方向に貫通して設けられている。なお、スリット１６の上端開口における装着凹部１２側の開口縁は、テーパ状に設けられている。
【００２２】
ヒューズ２０は、図示しない可溶体を収容した合成樹脂製の筒状の本体部２１と、導電性の金属板からなる一対の端子部２２とを備えて構成されている。各端子部２２は、本体部２１の左右両端部にそれぞれ接続されており、前記可溶体を通じて互いに導通可能に接続されている。端子部２２は、本体部２１の端部に接続された第１接続部２２Ａと、第１接続部２２Ａの下端から本体部２１の軸方向に延びる装着部２２Ｂと、装着部２２Ｂの延出端部から下方に延びる第２接続部２２Ｃとからなる。端子部２２は、装着部２２Ｂを中心として両接続部２２Ａ，２２Ｃが互いに反対方向に延びたクランク状とされている。
【００２３】
カバー３０は合成樹脂製であって、図２に示すように、装着凹部１２内に収容されたヒューズ２０を覆うカバー本体３１と、カバー本体３１の開口縁に連なる左右一対の押込部３２，３２と、各押込部３２，３２の周縁から下方に延出された一対の外壁部３３，３３とを備えて構成されている。この外壁部３３は、プラグ側ハウジング１１の大フード部１５の上端部を覆う形態とされている。この大フード部１５の上端部には、装着凹部１２内に収容されたヒューズ２０の装着部２２Ｂを支持する台座部１９が設けられている。
【００２４】
外壁部３３には、図３に示すように、ロック部３４が設けられている。一方、大フード部１５の上端部における外側面は、図４に示すように、ロック部３４の係止孔に嵌り込んでカバー３０をプラグ側ハウジング１１に保持する係止突起１８が設けられている。ロック部３４は、図１に示すように、各押込部３２に２個ずつ設けられ、計４個のロック部３４がカバー３０の四隅に配置されている。
【００２５】
図２に示すように、カバー３０がプラグ側ハウジング１１にロック状態で組み付けられた状態では、カバー本体３１の内面と装着凹部１２の内面によってヒューズ２０が収容される収容空間Ｓが構成される。この収容空間Ｓには、ヒューズ２０の本体部２１が浮いた状態に収容されている。このとき、端子部２２の装着部２２Ｂのほぼ全域が、カバー３０の押込部３２と台座部１９との間に挟まれており、これによりヒューズ２０が収容空間Ｓ内に固定されている。また、端子部２２は、スリット１６を上下方向に貫通して大フード部１５内に進入し、前方に突出する形態で配置されている。各端子部２２，２２が各スリット１６，１６を貫通することで、各端子部２２，２２が各大フード部１５，１５に位置決め状態で装着され、本体部２１が装着凹部１２に位置決め状態で装着される。
【００２６】
サービスプラグ１０は、図３に示すように、レバー４０を備えており、このレバー４０は、一対の軸部Ｐ，Ｐによって回動可能に軸支されている。各軸部Ｐは、プラグ側ハウジング１１に設けられたハウジング側半割体Ｐ１と、カバー３０に設けられたカバー側半割体Ｐ２とからなる。一方、レバー４０には、図５に示すように、軸孔４１が設けられており、この軸孔４１に軸部Ｐが嵌合することで、レバー４０がプラグ側ハウジング１１に対して回動可能に軸支される。さらに、両半割体Ｐ１，Ｐ２が軸孔４１によって一体に保持されることで、軸部Ｐが分割不能に固定され、カバー３０がプラグ側ハウジング１１に保持される。
【００２７】
レバー４０は、軸孔４１が設けられてなる一対のカム板４２と、略門形をなして両カム板４２に連結された操作部４３とを備えて構成されている。カム板４２には、図４に示すように、レバーロック部４４が設けられている。このレバーロック部４４は、図１０に示す初期位置にレバー４０が組み付けられているときに、ハウジング１１の外面に係止可能とされている。これにより、レバー４０が不意に図１２に示す嵌合位置へ回動することはなく、初期位置に保持される。
【００２８】
カム板４２には、カム溝４５が設けられている。カム溝４５は、図３に示すように、初期位置にあるカム板４２の下端から弧状をなして軸孔４１に近づく形態とされている。カム溝４５の入口にカムピン５６を進入させて操作部４３を持って初期位置にあるレバー４０を嵌合位置に回動させると、図１１に示すように、カムピン５６とカム溝４５の係合によるカム作用によってサービスプラグ１０が待受け側コネクタ５０側に引き寄せられ、図１２に示すように、サービスプラグ１０と待受け側コネクタ５０が正規嵌合状態に至る。
【００２９】
サービスプラグ１０と待受け側コネクタ５０の嵌合過程では、図１０に示すように、まず、ヒューズ２０の両端子部２２，２２と両待受け側端子６０，６０の両弾性接触片６１，６１とが接触した後、図１１に示すように、両インターロック端子６４，６４とショート端子１７とが接触し始める。両インターロック端子６４，６４がショート端子１７によって導通可能に接続されると、インターロックが解除されて電源回路が導通可能な状態となる。したがって、両端子部２２，２２と両弾性接触片６１，６１との接触開始時に大電流が流れることで不具合が発生することを規制できる。
【００３０】
本実施形態は以上のような構成であって、続いてその作用を説明する。まず、ヒューズ２０の取付方法について説明する。プラグ側ハウジング１１の装着凹部１２にヒューズ２０を装着するに際しては、両端子部２２，２２を両スリット１６，１６に挿入し、ヒューズ２０のプラグ側ハウジング１１に対する位置決めを行う。ヒューズ２０を装着凹部１２に装着すると、端子部２２の装着部２２Ｂが大フード部１５の台座部１９によって支持される。
【００３１】
次に、カバー本体３１の上面に指を宛がい、カバー３０をプラグ側ハウジング１１に向けて押し込むと、各ロック部３４が各係止突起１８に係止状態で嵌り込み、カバー３０がプラグ側ハウジング１１にロック状態で組み付けられる。このとき、端子部２２の装着部２２Ｂは、大フード部１５の台座部１９とカバー３０の押込部３２とによって上下方向から挟み込まれるため、ヒューズ２０が収容空間Ｓ内で浮いた状態に固定される。
【００３２】
また、ヒューズ２０が切れるなどして新しいヒューズ２０に交換する際には、カバー３０をプラグ側ハウジング１１から取り外す必要がある。そのため、各ロック部３４と各係止突起１８の係止を解除する必要があるものの、これらのロック部分はサービスプラグ１０の外部に臨んで配置されているため、係止解除用の治具による解除作業がしやすい。そして、カバー３０をプラグ側ハウジング１１から取り外すと、押込部３２による押し込みが解除され、そのままヒューズ２０を装着凹部１２から外すことが可能になる。その後、新しいヒューズ２０を装着凹部１２にセットして、再びカバー３０を取り付けることにより、ヒューズ２０の交換作業が完了する。
【００３３】
以上のように本実施形態によると、ヒューズ２０を収容空間Ｓ内に固定するにあたって、大フード部１５の台座部１９と押込部３２とによって装着部２２Ｂを挟み込むようにしたから、必然的にカバー３０をプラグ側ハウジング１１に取り付けることになり、カバー３０の付け忘れを防ぐことができる。その際、装着部２２Ｂの全域を挟み込むようにしたため、ヒューズ２０を収容空間Ｓ内で強固にかつ安定して固定することができる。また、各ロック部３４によるカバー３０の固定に加えて、両半割体Ｐ１，Ｐ２を軸孔４１によって分離不能に保持することができるため、カバー３０をより強固に固定することができる。すなわち、レバー４０を取り付ける際にカバー３０の付け忘れを検知することができる。
【００３４】
＜実施形態２＞
次に、本発明の実施形態２を図１３ないし図１６の図面を参照しながら説明する。本実施形態におけるサービスプラグ１１０は、図１３に示すように、レバー１４０の組み付け作業性を向上させたものであって、その他の構成、作用、および効果については、実施形態１と同じであるため、実施形態１と同じ構成については、実施形態１と同一の符合を用いるものとし、実施形態１と対応する構成については、実施形態１の符合に１００を加えた符合を用いるものとする。なお、図１３ないし図１６においては、小フード部を省略して図示してある。
【００３５】
レバー１４０を回動可能に軸支する軸部Ｐ３は、その対向部が平行をなすように除肉されることで横長に形成された断面長円形の柱状とされている。この軸部Ｐ３は、プラグ側ハウジング１１１に設けられたハウジング側半割体Ｐ４と、カバー１３０に設けられたカバー側半割体Ｐ５とからなる。ハウジング側半割体Ｐ４とカバー側ハウジングＰ５は、軸部Ｐ３をその長手方向に延びる切断ラインで二分割することによって形成されている。軸部Ｐ３における長手方向両側には、一対の引掛け部Ｐ６，Ｐ６が長手方向に張り出し形成されている。
【００３６】
レバー１４０のカム板１４２には、その周縁から軸孔１４１に向けて直線状に切り欠かれたスリット１４６が設けられている。このスリット１４６の幅寸法は、軸部Ｐ３の幅方向（長手方向と直交する方向）の寸法とほぼ同じに設定されている。このため、図１４に示す組付位置からレバー１４０を回動させると、軸部Ｐ３がスリット１４６を通過することができなくなり、レバー１４０が軸部Ｐ３から外れることを規制できる。また、スリット１４６の奥端に位置する軸孔１４１の周縁部には、軸部Ｐ３の各引掛け部Ｐ６，Ｐ６を摺動可能に支持する軸受け部１４７が設けられている。このため、軸部Ｐ３と軸孔１４１は軸受け部１４７によって組み付け状態に保持される。
【００３７】
具体的には、図３の状態から軸部Ｐ３をスリット１４６に進入させて、その奥端（図１４に示す軸孔１４１）にセットした後、レバー１４０を回動させることで、図１５に示すように、各引掛け部Ｐ６，Ｐ６が軸受け部１４７に引っ掛かった状態となる。これにより、レバー１４０がプラグ側ハウジング１１１に対して初期位置に組み付けられる。そして、サービスプラグ１１０を待受け側コネクタ５０に嵌合させる際には、サービスプラグ１１０を待受け側コネクタ５０に浅く嵌合させた状態からレバー１４０を図１６に示す嵌合位置に回動させる。すると、サービスプラグ１１０と待受け側コネクタ５０が正規嵌合状態に至る。
【００３８】
以上のように本実施形態では、レバー１４０が軸部Ｐ３に組み付けられることで、プラグ側ハウジング１１１とカバー１３０が分離不能に保持される。また、レバー１４０を組み付けることによってカバー１３０の付け忘れを検知できる。さらに、レバー１４０の軸部Ｐ３への組み付け操作が容易になることに加えて、レバー１４０を軸部Ｐ３から取り外す作業も容易になるため、ヒューズ２０を容易に交換することができる。
【００３９】
＜実施形態３＞
次に、本発明の実施形態３を図１７ないし図１９の図面を参照しながら説明する。本実施形態におけるサービスプラグ２１０は、図１７に示すように、軸部Ｐ７を分割することなく一体に構成したものであって、その他の構成、作用、および効果については、実施形態１と同じであるため、実施形態１と同じ構成については、実施形態１と同一の符合を用いるものとし、実施形態１と対応する構成については、実施形態１の符合に２００を加えた符合を用いるものとする。
【００４０】
軸部Ｐ７は、図１９に示すように、プラグ側ハウジング２１１と一体に設けられている。軸部Ｐ７は、装着凹部２１２の両側に一対配置されている。軸部Ｐ７と装着凹部２１２の外側面との間には、カバー２３０の開口縁が嵌り込んでいる。このため、ヒューズ２０を交換する際には、レバー４０を軸部Ｐ７から離脱させる必要がなく、レバー４０を軸部Ｐ７に装着したままヒューズ２０を交換することができ、ヒューズ２０の交換作業を容易にすることができる。
【００４１】
＜他の実施形態＞
本明細書によって開示される技術は上記記述及び図面によって説明した実施形態に限定されるものではなく、例えば次のような種々の態様も含まれる。
（１）上記実施形態ではヒューズ２０の端子部２２をカバーとプラグ側ハウジングによって挟み込むことで、ヒューズ２０を収容空間Ｓ内に固定しているものの、ヒューズ２０の本体部２１をカバーとプラグ側ハウジングによって挟み込むようにしてもよい。
【００４２】
（２）上記実施形態では両端子部２２，２２をカバーとプラグ側ハウジングによって挟み込むようにしているものの、一方の端子部２２のみを挟み込むようにしてもよい。また、カバーとプラグ側ハウジングによって端子部２２の装着部２２Ｂの一部を挟み込むようにしてもよい。
【００４３】
（３）上記実施形態ではレバーを備えたサービスプラグを例示しているものの、レバーを備えていないサービスプラグとしてもよい。
（４）実施形態１および２では同一形状であるハウジング側半割体とカバー側の半割体とからなる軸部を例示しているものの、異なる形状の半割体を組み合わせることで軸部を構成してもよい。
【符号の説明】
【００４４】
１０、１１０、２１０…サービスプラグ（コネクタ）
１１、１１１、２１１…プラグ側ハウジング
２０…ヒューズ（保護部材）
２１…本体部
２２…端子部
２２Ｂ…装着部
３０、１３０、２３０…カバー
３２、１３２、２３２…押込部
４０、１４０、２４０…レバー
５０…待受け側コネクタ
Ｐ、Ｐ３、Ｐ７…軸部
Ｐ１、Ｐ４…ハウジング側半割体
Ｐ２、Ｐ５…カバー側半割体
【図１】
0005760690.tif 000002
【図２】
0005760690.tif 000003
【図３】
0005760690.tif 000004
【図４】
0005760690.tif 000005
【図５】
0005760690.tif 000006
【図６】
0005760690.tif 000007
【図７】
0005760690.tif 000008
【図８】
0005760690.tif 000009
【図９】
0005760690.tif 000010
【図１０】
0005760690.tif 000011
【図１１】
0005760690.tif 000012
【図１２】
0005760690.tif 000013
【図１３】
0005760690.tif 000014
【図１４】
0005760690.tif 000015
【図１５】
0005760690.tif 000016
【図１６】
0005760690.tif 000017
【図１７】
0005760690.tif 000018
【図１８】
0005760690.tif 000019
【図１９】
0005760690.tif 000020